(57)【要約】      （修正有）【課題】靴のアッパー踵部に、ステッチを設けることで識別性が高く、かつ歩行を妨げない装飾を有した靴を提供する。【解決手段】靴底部１１１と甲被部１１０とを有する靴の前記甲被部の踵部１１３において、底部に対して水平に形成される少なくとも１つのステッチ１１２を有し、前記ステッチ１１２は、略上下に伸長するパターンの繰り返しによって形成する。それぞれのステッチは略垂直方向に概ね同一の長さで縫い、間隔を開けずに、交互に違う高さから縫うことで、ジグザグの形状を表現する。また、縫い糸は太めとすることで、デザインが立体的となり、識別性の向上を図ることが可能である。【選択図】図１
0003163066.tif 000002
【実用新案登録請求の範囲】
【請求項１】
靴底部と甲被部とを有する靴の前記甲被部の踵部において、底部に対して水平に形成される少なくとも１つの縫い目を有し、前記縫い目は、略上下に伸長するパターンの繰り返しによって形成されることを特徴とする靴。
【請求項２】
前記略上下に伸長するパターンが、４つ略平行に略等間隔で設けられたことを特徴とする請求項１に記載の靴。
【請求項３】
紺色地の被服のポケットまたは袖口において、少なくとも１つの赤色の縫い目を有し、前記縫い目は、略上下に伸長するパターンの繰り返しによって形成されることを特徴とする被服。
【請求項４】
前記略上下に伸長するパターンが、４つ略平行に略等間隔で設けられた前記被服において、外側の２つの模様と内側の２つの模様がそれぞれ略同じ長さであり、前記内側の２つの模様は、前記外側の２つの模様より短いことを特徴とする請求項３に記載の被服。
【考案の詳細な説明】
【技術分野】
【０００１】
本考案は、靴のアッパー踵部に、ステッチを施した靴に関する。また、ステッチを施した被服に関する。
【背景技術】
【０００２】
本出願人の先の実用新案登録第３１４７４９９号において、靴のアッパー踵部に帯状の装飾が施されたものが開示されている。
【先行技術文献】
【特許文献】
【０００３】
【特許文献１】実登３１４７４９９
【考案の開示】
【考案が解決しようとする課題】
【０００４】
さらに識別性が高く、かつ歩行を妨げない装飾に注目した靴の製造が求められていた。また、識別性が高く、かつシンプルな装飾を有する被服の需要が高まっていた。
【課題を解決するための手段】
【０００５】
上記課題を解決するための請求項１の考案は、靴底部と甲被部とを有する靴の甲被部の踵部において、底部に対して水平に形成される少なくとも１つの縫い目を有し、縫い目は、略上下に伸長するパターンの繰り返しによって形成されることを特徴とする靴に関する。
【０００６】
上記課題を解決するための請求項２の考案は、略上下に伸長するパターンが、４つ略平行に略等間隔で設けられたことを特徴とする請求項１に記載の靴に関する。
【０００７】
上記課題を解決するための請求項３の考案は、紺色地の被服のポケットまたは袖口において、少なくとも１つの赤色の縫い目を有し、縫い目は、略上下に伸長するパターンの繰り返しによって形成されることを特徴とする被服に関する。
【０００８】
上記課題を解決するための請求項４の考案は、上下に伸長するパターンが、４つ略平行に略等間隔で設けられた被服において、外側の２つの模様と内側の２つの模様がそれぞれ略同じ長さであり、前記内側の２つの模様は、前記外側の２つの模様より短いことを特徴とする請求項３に記載の被服に関する。
【考案の効果】
【０００９】
本考案によると、識別性が高く、かつ歩行の妨げとならない装飾を有する靴の提供が可能となった。また、シンプルでありながら、識別性の高い被服の提供が可能となった。
【図面の簡単な説明】
【００１０】
【図１】アッパー踵部分にステッチが施された靴の背面図である。
【図２】アッパー踵部分にステッチが施された靴の側面図である。
【図３】スウェットの正面図である。
【図４】スウェットの左袖下袖口の拡大図である。
【図５】フ―ド付きスウェットパーカの正面図である。
【図６】フ―ド付きスウェットパーカの左ポケット口の拡大図である。
【図７】Ｔシャツの正面図である。
【図８】Ｔシャツの胸ポケットの拡大図である。
【考案を実施するための形態】
【００１１】
以下、本考案の好ましい実施の形態について具体的に説明する。図１は、アッパー踵部分にステッチが施された靴の背面を表す図である。図２は、アッパー踵部分にステッチが施された靴を側面から見た図である。図３は、スウェットを正面から見た図である。図４は、図３のスウェットの左袖下の袖口を拡大した図である。図５は、フ―ド付きスウェットパーカを正面から見た図である。図６は、図５のフ―ド付きスウェットパーカの左側ポケット口を拡大した図である。図７は、Ｔシャツを正面から見た図である。図８は、図７のＴシャツの胸ポケットを拡大した図である。
【００１２】
図１に示す通り、靴のアッパー踵部１１３には水平方向に、四本のステッチ１１２が施されている。それぞれの縫い目は略垂直方向に概ね同一の長さで縫われているが、間隔を開けずに、交互に違う高さから縫うことで、ジグザグの形状が表現されている。この実施の形態において、縫い糸は太めであるため、デザインが立体的となり、識別性の向上を図ることが可能である。
【００１３】
図２は、アッパー踵部１１３にステッチ１１２が施された靴１００を側面から見た図であり、四本のステッチ１１２のそれぞれの端部が確認できる。この実施の形態では、四本のステッチ１１２の長さがそれぞれ違うものとなっているが、同一の長さとすることもこの考案の範囲内である。
【００１４】
さらに、この実施の形態において、甲被部（アッパー）１１０は、ハイカットのスニーカーであるが、ローカットのスニーカーや、ブーツ等を含む他の形態の履物に本考案のデザインを応用することが可能である。
【００１５】
図３、図５、及び図７に示す被服には、それぞれ４本のステッチが施されている。図４、図６、図８はそれぞれのステッチ部分が視認できる拡大図である。図３のスウェット２００に施されたステッチは、４本のステッチ２１１が水平方向に略等間隔に施されたものであり、外側２本が同等の長さで内側の２本より長く、内側の２本が同等の長さで外側より短い形態である。
【００１６】
図５〜図８のフ―ド付きスウェットパーカ３００およびＴシャツ４００は、それぞれのポケット口にステッチが施されている形態であり、図３及び図４のスウェット２００のステッチと異なり、ポケット口の形状に対してステッチが垂直に施されている。また、外側２本のステッチが内側２本のステッチより長い形状であるのは図３のスウェット２００と同じであるが、図５〜図８のステッチの始点はポケット口の線に沿って同じ位置である点で異なる。
【００１７】
図３〜図８における被服はいずれも色が紺地であり、ステッチに用いる刺繍糸は赤地である。これにより、識別性のより高い被服の提供が可能となる。
【００１８】
本考案の実施形態ではスウェット、フ―ド付きスウェットパーカ、Ｔシャツを示したが、これをズボンやベルト、帽子等の他の形態の被服に適用することも本考案の範囲内である。
【符号の説明】
【００１９】
１００    靴
１１０    アッパー（甲被部）
１１１    靴底部
１１２    ステッチ
１１３    踵部
２００    スウェット
２１０    スウェット左袖下袖口
２１１    スウェット左袖下袖口のステッチ
３００    フ―ド付きスウェットパーカ
３１０    フ―ド付きスウェットパーカの左ポケット
３１１    フ―ド付きスウェットパーカの左ポケットのステッチ
４００    Ｔシャツ
４１０    Ｔシャツの胸ポケット
４１１    Ｔシャツの胸ポケットのステッチ
【図１】
0003163066.tif 000003
【図２】
0003163066.tif 000004
【図３】
0003163066.tif 000005
【図４】
0003163066.tif 000006
【図５】
0003163066.tif 000007
【図６】
0003163066.tif 000008
【図７】
0003163066.tif 000009
【図８】
0003163066.tif 000010
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
靴底部と甲被部とを有する靴の前記甲被部の踵部において、底部に対して水平に形成される少なくとも１つの縫い目を有し、前記縫い目は、略上下に伸長するパターンの繰り返しによって形成されることを特徴とする靴。
【請求項２】
前記略上下に伸長するパターンが、４つ略平行に略等間隔で設けられたことを特徴とする請求項１に記載の靴。
【手続補正２】
【補正対象書類名】明細書
【補正対象項目名】全文
【補正方法】変更
【補正の内容】
【考案の詳細な説明】
【技術分野】
【０００１】
本考案は、靴のアッパー踵部に、ステッチを施した靴に関する。
【背景技術】
【０００２】
本出願人の先の実用新案登録第３１４７４９９号において、靴のアッパー踵部に帯状の装飾が施されたものが開示されている。
【先行技術文献】
【特許文献】
【０００３】
【特許文献１】実登３１４７４９９
【考案の開示】
【考案が解決しようとする課題】
【０００４】
さらに識別性が高く、かつ歩行を妨げない装飾に注目した靴の製造が求められていた。
【課題を解決するための手段】
【０００５】
上記課題を解決するための請求項１の考案は、靴底部と甲被部とを有する靴の甲被部の踵部において、底部に対して水平に形成される少なくとも１つの縫い目を有し、縫い目は、略上下に伸長するパターンの繰り返しによって形成されることを特徴とする靴に関する。
【０００６】
上記課題を解決するための請求項２の考案は、略上下に伸長するパターンが、４つ略平行に略等間隔で設けられたことを特徴とする請求項１に記載の靴に関する。
【考案の効果】
【０００７】
本考案によると、識別性が高く、かつ歩行の妨げとならない装飾を有する靴の提供が可能となった。
【図面の簡単な説明】
【０００８】
【図１】アッパー踵部分にステッチが施された靴の背面図である。
【図２】アッパー踵部分にステッチが施された靴の側面図である。
【考案を実施するための形態】
【０００９】
以下、本考案の好ましい実施の形態について具体的に説明する。図１は、アッパー踵部分にステッチが施された靴の背面を表す図である。図２は、アッパー踵部分にステッチが施された靴を側面から見た図である。
【００１０】
図１に示す通り、靴のアッパー踵部１１３には水平方向に、四本のステッチ１１２が施されている。それぞれの縫い目は略垂直方向に概ね同一の長さで縫われているが、間隔を開けずに、交互に違う高さから縫うことで、ジグザグの形状が表現されている。この実施の形態において、縫い糸は太めであるため、デザインが立体的となり、識別性の向上を図ることが可能である。
【００１１】
図２は、アッパー踵部１１３にステッチ１１２が施された靴１００を側面から見た図であり、四本のステッチ１１２のそれぞれの端部が確認できる。この実施の形態では、四本のステッチ１１２の長さがそれぞれ違うものとなっているが、同一の長さとすることもこの考案の範囲内である。
【００１２】
さらに、この実施の形態において、甲被部（アッパー）１１０は、ハイカットのスニーカーであるが、ローカットのスニーカーや、ブーツ等を含む他の形態の履物に本考案のデザインを応用することが可能である。
【符号の説明】
【００１３】
１００    靴
１１０    アッパー（甲被部）
１１１    靴底部
１１２    ステッチ
１１３    踵部
【手続補正４】
【補正対象書類名】図面
【補正対象項目名】全図
【補正方法】変更
【補正の内容】
【図１】
0003163066.tif 000011
【図２】
0003163066.tif 000012